(57)【要約】【課題】捕集された塵埃を確実に吸塵し外部に排出できる空気調和機を提供する。【解決手段】熱交換器１３に流入する空気に含まれる塵埃を捕集するエアフィルター２と、前記エアフィルター２の表面に沿って駆動可能に設けられると共に前記エアフィルター２で捕集された塵埃を吸引する吸引ノズル３と、前記吸引ノズル３を通して塵埃を吸引し外部に排出する吸引装置６と吸引装置ユニット（図示せず）を備え、前記吸引装置６を、室内機１９内に、吸引装置ユニットを室内機１９の外部にそれぞれ設置したもので、エアフィルター２に付着した塵埃を吸引ノズル３により、自動で確実に吸引清掃することが可能となり、空気調和機の性能維持及び消費電力の増大防止を図ることができる。また、吸引装置６と吸引装置ユニットの複数の装置により、塵埃排気用の排気ダクト７を長く引き回した場合でも、吸引力の低下を防止することができる。【選択図】図２
2007101109.tif 000002
【特許請求の範囲】
【請求項１】
熱交換器と、前記熱交換器に流入する空気に含まれる塵埃を捕集するエアフィルターと、前記エアフィルターの表面に沿って駆動可能に設けられると共に前記エアフィルターで捕集された塵埃を吸引する吸引ノズルと、前記吸引ノズルを通して前記塵埃を吸引し外部に排出する複数の吸引装置とを備え、前記吸引装置を、少なくとも空気調和機本体の内部と外部にそれぞれ設置したことを特徴とする空気調和機。
【請求項２】
空気調和機本体の外部に設置する吸引装置を、室外側に設置したことを特徴とする請求項１に記載の空気調和機。
【請求項３】
空気調和機を室内機と、前記室内機に接続された室外機で構成し、吸引装置を前記室内機の内部と前記室外機内部のそれぞれに設置したことを特徴とする請求項１又は２に記載の空気調和機。
【請求項４】
空気調和機を室内機と、前記室内機に接続された室外機で構成し、吸引装置を前記室内機の室外側に設置したことを特徴とする請求項１又は２に記載の空気調和機。
【請求項５】
吸引装置を室外機内にも設置したことを特徴とする請求項４に記載の空気調和機。
【発明の詳細な説明】
【技術分野】
【０００１】
本発明は、フィルターの清掃を自動的に行うようにした空気調和機に関するものである。
【背景技術】
【０００２】
従来の空気調和機は、熱交換器の前面に、空気調和機の本体内部に塵埃が侵入するのを防ぐためのエアフィルターが設けられており、このエアフィルターは、付着した塵埃を手で清掃できるように本体に着脱自在に装着されている。このような空気調和機では、エアフィルターを頻繁にメンテナンスしなければならず、また、次のメンテナンスが行われるまでの間に、エアフィルターが徐々に目詰まりしていき、その結果、熱交換器を通過する風量が低下し、空調能力が著しく低下して消費電力の増大につながるといった問題があった。
【０００３】
この問題を解決し、エアフィルターのメンテナンスの手間を低減する目的で、エアフィルターに付着した塵埃を、ブラシにて定期的に自動清掃する自動清掃装置が考案されている（例えば、特許文献１参照）。
【特許文献１】特開２００１−９９４７９号公報
【発明の開示】
【発明が解決しようとする課題】
【０００４】
しかしながら、上記特許文献１に開示された従来の空気調和機の構成では、ブラシとエアフィルターがお互いにこすられるためブラシに塵埃が絡みついたり、ブラシが摩耗もしくは変形して清掃機能が低下するなどの問題があった。また、ある程度の時間が経過したら、ブラシで掻き落として集めた塵埃を処理しなくてはならずメンテナンスの手間が大幅に軽減されるものではなかった。
【０００５】
本発明は、前記従来の課題を解決するもので、エアフィルター全面の自動清掃を行うことができると共に、メンテナンスが極めて容易な空気調和機を提供するものである。
【課題を解決するための手段】
【０００６】
前記従来の課題を解決するために、本発明の空気調和機は、熱交換器と、前記熱交換器に流入する空気に含まれる塵埃を捕集するエアフィルターと、前記エアフィルターの表面に沿って駆動可能に設けられると共に前記エアフィルターで捕集された塵埃を吸引する吸引ノズルと、前記吸引ノズルを通して前記塵埃を吸引し外部に排出する複数の吸引装置とを備え、前記吸引装置を、少なくとも空気調和機本体の内部と外部にそれぞれ設置したもので、エアフィルターに付着した塵埃を吸引ノズルにより、自動で確実に吸引清掃することが可能となり、空気調和機の性能維持及び消費電力の増大防止を図ることができる。また、複数の吸引手段により、吸引装置に連結された塵埃排気用の排気ダクトを長く引き回した場合でも、吸引力の低下を防止することができる。
【発明の効果】
【０００７】
本発明の空気調和機は、空気調和機の性能維持及び消費電力の増大防止を図ることができると共に、排気ダクトを長く引き回した場合の吸引力の低下を防止することができる。
【発明を実施するための最良の形態】
【０００８】
第１の発明は、熱交換器と、前記熱交換器に流入する空気に含まれる塵埃を捕集するエアフィルターと、前記エアフィルターの表面に沿って駆動可能に設けられると共に前記エ
アフィルターで捕集された塵埃を吸引する吸引ノズルと、前記吸引ノズルを通して前記塵埃を吸引し外部に排出する複数の吸引装置とを備え、前記吸引装置を、少なくとも空気調和機本体の内部と外部にそれぞれ設置したもので、エアフィルターに付着した塵埃を吸引ノズルにより、自動で確実に吸引清掃することが可能となり、空気調和機の性能維持及び消費電力の増大防止を図ることができる。また、複数の吸引手段により、吸引装置に連結された塵埃排気用の排気ダクトを長く引き回した場合でも、吸引力の低下を防止することができる。
【０００９】
第２の発明は、特に、第１の発明の空気調和機本体の外部に設置する吸引装置を、室外側に設置したもので、一部の吸引装置を室外側に設置することにより、高い吸引力を維持しながら、清掃時の騒音を低減することができる。
【００１０】
第３の発明は、特に、第１又は第２の発明の空気調和機を室内機と、前記室内機に接続された室外機で構成し、吸引装置を前記室内機の内部と前記室外機内部のそれぞれに設置したもので、複数の吸引手段により塵埃の吸引力を高められと共に、外部に配される吸引装置が室外機の中に配置されることにより清掃時の騒音を低減することができ、また、室外機の中に吸引装置を予め組み込んでおけば、室内機側の吸引装置に連結された塵埃排気用の排気ダクトを室外機に接続するだけで工事が容易に行えるものである。
【００１１】
第４の発明は、特に、第１又は第２の発明の空気調和機を室内機と、前記室内機に接続された室外機で構成し、吸引装置を前記室内機の室外側に設置したもので、室外側に配された吸引装置からの騒音がその裏側にある室内機で遮蔽されるので、清掃時の騒音を大幅に低減することができる。
【００１２】
第５の発明は、特に、第４の発明の空気調和機において、吸引装置を室外機内にも設置したもので、吸引力が一層高められると共に、清掃時の騒音を大幅に低減することができる。
【００１３】
以下、本発明の実施の形態について、図面を参照しながら説明する。なお、この実施の形態によって本発明が限定されるものではない。
【００１４】
（実施の形態１）
本発明の第１の実施の形態における空気調和機についての図１〜７を用いて説明する。図１は、本実施の形態における空気調和機の室内機の正面図で、図２は、同室内機の断面図（図１のＡ−Ａ断面図）、図３は、同室内機に内蔵されたフィルター装置の構成例を示す全体斜視図である。
【００１５】
図１、２において、本実施の形態における空気調和機は、室内機９と、室内機９と冷媒管（図示せず）を介して接続される室外機（図示せず）からなり、室内機１９は、前部に前面パネル１２を有し、内部に熱交換器１３と、熱交換器１３の上流側に配され熱交換器１３に流入する空気に含まれる塵埃を捕集するフィルター装置２２が配されている。
【００１６】
図３において、フィルター装置２２は、熱交換器１３を通過する空気に含まれる塵埃を捕集するエアフィルター２と、エアフィルター２を支持固定するフィルター枠１と、エアフィルター２の上流側表面に沿って移動可能に設けられエアフィルター２で捕集された塵埃を吸引する吸引ノズル３と、フィルター枠１の上下端に設置され、吸引ノズル３をエアフィルター２と極めて狭い間隙を保って円滑に左右に移動できるようにガイドするガイドレール４を備えている。
【００１７】
５は、一端が吸引ノズル３に連結され、他端が吸引装置６に連結された吸引ダクトで、
吸引ノズル３の移動に差し支えないように折り曲げ可能なダクトで形成されている。さらに、吸引装置６の排気側には、室外と連通する排気ダクト７が接続されている。
【００１８】
上記構成により、吸引装置６で発生する吸引風が吸引ノズル３に作用して、エアフィルター２上の塵埃が、吸引ノズル３を通して吸引され、吸引ダクト５を経由して、吸引装置６、排気ダクト７を通り室外に放出される。
【００１９】
次に、図４、５を用いて、吸引ノズル３の詳細について説明する。
【００２０】
吸引ノズル３は、吸引した風の流通路を構成するノズル８と、ループ状に形成されノズル８を囲むように設けられたフィルム９と、フィルム９を支持して駆動力を伝えるギヤ１４と、フィルム９を支持して円滑に駆動させるためのローラー１５ａ、１５ｂ、１５ｃから構成される。ノズル８のエアフィルター２側の面には、エアフィルター２の縦長さに相当する長さでスリット状のノズル開口部１０が設けてある。
【００２１】
一方、ループ状に形成されたフィルム９は、ノズル開口部１０を覆うようにノズル８の外周に巻き付けられ、エアフィルター２側の面は、ノズル開口部１０に対向する位置に開口部１６を有するフィルムガイド１７で支持されている。又、フィルム９には、スリット状の吸引孔１１が設けてあり、吸引孔１１の位置がノズル開口部１０に相対する位置になるようにフィルム９が取り付けられている。
【００２２】
フィルム９の両端には、等間隔の駆動穴９ａが設けられており、ステッピングモーター（図示せず）に連結されたギヤ１４の歯１４ａが、駆動穴９ａに噛み合わさることによってフィルム９は、上下方向のいずれにも自在に駆動できるようになっている。
【００２３】
図６、７は、本実施の形態における空気調和機の据付状態図を示す図である。図６、７において、１８は、排気ダクト７の途中でかつ室内の壁に取り付けられ、空気調和機１９に内蔵された吸引装置６により排出された塵埃をさらに吸引し、室外に排出するための第２の吸引装置となる吸引装置ユニットである。
【００２４】
以上のように構成された空気調和機の動作、作用について説明する。
【００２５】
吸引装置６の運転が開始すると、吸引装置６によって吸引される風量は、フィルム９に設けた吸引孔１１に絞られて集中することとなるので、少ない風量でも吸引孔１１部分では強い風速を発生させることが可能となる。すなわち、小出力で強い吸引力を発揮することが可能となる。この強い吸引力で吸引されたエアフィルター２上の塵埃は、吸引孔１１からノズル開口部１０を経てノズル８内部に入り、さらに吸引ダクト５を経由して吸引装置６にいたり、排気ダクト７に送り込まれる。そして、排気ダクト７の途中に設けられた吸引装置ユニット１８により、吸引装置６から送り出された塵埃が吸引され、排気ダクト７より室外に勢いよく放出される。
【００２６】
又、吸引ノズル３を左右に駆動する毎に、フィルム９を駆動して吸引孔１１の位置を移動させることで、エアフィルター２の全面を吸引清掃することが可能となり、空気調和機の性能維持及び消費電力の増大防止を図ることができる。
【００２７】
以上のように、本実施の形態によれば、エアフィルター２の清掃が自動で行われると共に塵埃が室外に自動的に排出されるので、塵埃処理などのメンテナンスが不要で、しかも、排気ダクト７を長く引き回した場合でも、空気調和機内部の吸引装置６に加え、空気調和機の外部に配された第２の吸引手段すなわち吸引装置ユニット１８により、吸引力の低下を防止し、塵埃を確実に室外に放出することができる。
【００２８】
（実施の形態２）
図８は、本発明の第２の実施の形態における空気調和機の据付状態を示す図、図９は、図８のＤ−Ｄ断面図である。なお、上記第１の実施の形態における空気調和機と同一部分については同一符号を付してその説明を省略する。
【００２９】
上記第１の実施の形態では、第２の吸引手段である吸引装置ユニット１８を室内壁面に設けたが、本実施の形態は、図８、９に示すように、吸引装置ユニット１８を外壁すなわち室外に設けたもので、それにより塵埃を排出するために吸引力を高めながら、エアフィルター２の清掃時の騒音を低減することが可能となる。
【００３０】
（実施の形態３）
図１０は、本発明の第３の実施の形態における空気調和機の据付状態を示す図、図１１は、図１０のＥ−Ｅ断面図である。尚、上記実施の形態における空気調和機と同一部分については同一符号を付してその説明を省略する。
【００３１】
本実施の形態は、上記実施の形態同様に空気調和機の室内機１９に吸引手段６を設けると共に、室外機２０にも吸引手段６を配し、両吸引手段６間を排気ダクト７で連通させたもので、塵埃の吸引力を高めながらエアフィルター２清掃時の騒音を低減することが可能となるものである。又、吸引手段６を工場などで予め室外機２０に組み込んでおけば、空気調和機の設置現場では、排気ダクト７を室外機２０に接続するだけで済むので工事を容易に行うことができる。
【００３２】
（実施の形態４）
図１２は、本発明の第４の実施の形態における空気調和機の据付状態を示す図、図１３は、図１２のＦ−Ｆ断面図である。なお、上記実施の形態における空気調和機と同一部分については同一符号を付してその説明を省略する。
【００３３】
本実施の形態は、図１２、１３に示すように、第２の吸引手段である吸引装置ユニット１８を、室内機１９の室外側に設置したもので、吸引装置ユニット１８から生じる音が室内機１９で遮蔽されるので、エアフィルター２の清掃時の騒音を大幅に低減することができる。
【００３４】
（実施の形態５）
図１４は、本発明の第５の実施の形態における空気調和機の据付状態を示す図、図１５は、図１４のＧ−Ｇ断面図である。なお、上記実施の形態における空気調和機と同一部分については同一符号を付してその説明を省略する。
【００３５】
本実施の形態は、図１４、１５に示すように、室内機１９に内蔵された吸引装置６に加え、それと連通する吸引装置ユニット１８を室内機１９の室外側に設置し、さらにその吸引装置ユニット１８と排気ダクト７を介して連通される吸引装置６を室外機２０の内部にも設置したもので、塵埃を吸引するための吸引力を大幅に高めながら、しかも清掃時の騒音を大幅に低減することができる。
【産業上の利用可能性】
【００３６】
本発明の空気調和機は、エアフィルターに付着した埃を自動的にしかも確実に吸塵・排気できるもので、空気調和機に限らず空気清浄機、換気扇などフィルターを使用する機器に広く適用できるものである。
【図面の簡単な説明】
【００３７】
【図１】本発明の実施の形態１における空気調和機の室内機の正面図
【図２】同室内機の断面図（図１のＡ−Ａ断面図）
【図３】同室内機に内蔵されたフィルター装置の構成例を示す全体斜視図
【図４】（ａ）同フィルター装置の吸引ノズルの断面図（ｂ）同吸引ノズルの部分側面図
【図５】図４のＢ−Ｂ断面図
【図６】同空気調和機の据付状態図を示す正面図
【図７】図６のＣ−Ｃ断面図
【図８】本発明の実施の形態２における空気調和機の据付状態図を示す正面図
【図９】図８のＤ−Ｄ断面図
【図１０】本発明の実施の形態３における空気調和機の据付状態図を示す正面図
【図１１】図１０のＥ−Ｅ断面図
【図１２】本発明の実施の形態４における空気調和機の据付状態図を示す正面図
【図１３】図１２のＦ−Ｆ断面図
【図１４】本発明の実施の形態５における空気調和機の据付状態図を示す正面図
【図１５】図１４のＧ−Ｇ断面図
【符号の説明】
【００３８】
２  エアフィルター
３  吸引ノズル
６  吸引装置
７  吸引ダクト
１３  熱交換器
１８  吸引装置ユニット（吸引装置）
１９  室内機
２０  室外機
【図１】
2007101109.tif 000003
【図２】
2007101109.tif 000004
【図３】
2007101109.tif 000005
【図４】
2007101109.tif 000006
【図５】
2007101109.tif 000007
【図６】
2007101109.tif 000008
【図７】
2007101109.tif 000009
【図８】
2007101109.tif 000010
【図９】
2007101109.tif 000011
【図１０】
2007101109.tif 000012
【図１１】
2007101109.tif 000013
【図１２】
2007101109.tif 000014
【図１３】
2007101109.tif 000015
【図１４】
2007101109.tif 000016
【図１５】
2007101109.tif 000017